(57)【要約】【課題】  被捕獲者を捕獲するための刺股型捕獲装置において、被捕獲者が所持している刃物等の凶器を奪うことができる刺股型捕獲装置を提供する。【解決手段】  刺股型捕獲装置Ａは、柄部１０と、二股状アーム部２０と、中央アーム部６０とを有していて、二股状アーム部２０は、一対のアーム部３０からなり、各アーム部３０は、フレーム部３２と磁石部４０とを有している。一対のアーム部３０と中央アーム部６０は、柄部１０に対して着脱自在となっている。【選択図】        図１
2007071446.tif 000002
【特許請求の範囲】
【請求項１】
刺股型捕獲装置であって、
柄部と、
柄部に設けられた二股状アーム部で、一対のアーム部を有し、各アーム部に磁石部が設けられた二股状アーム部と、
を有することを特徴とする刺股型捕獲装置。
【請求項２】
上記一対のアーム部が上記柄部に対して着脱自在に設けられていることを特徴とする請求項１に記載の刺股型捕獲装置。
【請求項３】
上記一対のアーム部の間に、磁力を発生する棒状の部材を有する中央アーム部が設けられていることを特徴とする請求項２に記載の刺股型捕獲装置。
【請求項４】
上記一対のアーム部と上記中央アーム部が上記柄部に対して着脱自在に設けられていることを特徴とする請求項３に記載の刺股型捕獲装置。
【請求項５】
刺股型捕獲装置であって、
筒状を呈する柄部と、
一対のアーム部を有する二股状アーム部で、各アーム部が、断面コ字状のフレーム部本体とフレーム部本体の下端に設けられ柄部の先端に挿脱可能な取付部とを有するフレーム部と、該フレーム部本体の内部に設けられた磁石部とを有する二股状アーム部と、
一対のアーム部の間に設けられた中央アーム部で、磁力を発生する棒状の部材を有し、下端に柄部の先端に挿脱可能な取付部を有する中央アーム部と、
一対のアーム部と中央アーム部とを柄部に固定するための固定具と、
を有することを特徴とする刺股型捕獲装置。
【請求項６】
上記磁石部が、永久磁石であることを特徴とする請求項１又は２又は３又は４又は５に記載の刺股型捕獲装置。
【請求項７】
上記磁石部が電磁石であり、柄部に該電磁石の駆動のオンオフを操作するためのスイッチが設けられていることを特徴とする請求項１又は２又は３又は４又は５に記載の刺股型捕獲装置。
【請求項８】
上記磁石部が、永久磁石と、電磁石とを有し、柄部に該電磁石の駆動のオンオフを操作するためのスイッチが設けられていることを特徴とする請求項１又は２又は３又は４又は５に記載の刺股型捕獲装置。
【発明の詳細な説明】
【技術分野】
【０００１】
本発明は、刺股型の捕獲装置に関するものである。
【背景技術】
【０００２】
従来より、侵入者や暴漢者等の被捕獲者を制圧するための道具として、刺股が知られている。従来の刺股としては、柄部の先端に半円形やＵ字状やＶ字状に分岐したアーム部よりなるものが一般的である。刺股は、被捕獲者を離れた位置で制圧することができるので、被捕獲者が刃物等の凶器を持っている場合に特に有効とされている。
【０００３】
なお、出願人は、先行技術文献として、以下の文献を知得している。
【特許文献１】特開２０００−２３０８００号公報
【特許文献２】特開２００１−１８３０９１号公報
【特許文献３】特開２００１−２８９５９３号公報
【特許文献４】特開２００３−２５４６９７号公報
【特許文献５】特開２００４−３７１５号公報
【特許文献６】特開２００５−５５１５７号公報
【発明の開示】
【発明が解決しようとする課題】
【０００４】
しかし、従来の刺股においては、被捕獲者を捕獲することは可能であるものの、被捕獲者が刃物等の凶器を所持していた場合に、凶器を被捕獲者から奪うことができず、被捕獲者が凶器を所持したままである場合には、危険を伴うという問題があった。例えば、刺股で捕獲した被捕獲者を連行する場合に、被捕獲者が凶器を所持したままであると、被捕獲者が凶器を使用する可能性があり危険である。
【０００５】
そこで、本発明が解決しようとする問題点は、被捕獲者を捕獲するための刺股型捕獲装置において、被捕獲者が所持している刃物等の凶器を奪うことができる刺股型捕獲装置を提供することである。
【課題を解決するための手段】
【０００６】
本発明は上記問題点を解決するために創作されたものであって、第１には、刺股型捕獲装置であって、柄部と、柄部に設けられた二股状アーム部で、一対のアーム部（個別アーム部としてもよい。他においても同じ）を有し、各アーム部に磁石部が設けられた二股状アーム部と、を有することを特徴とする。
【０００７】
この第１の構成の刺股型捕獲装置においては、刺股型捕獲装置に二股状アーム部が設けられているので、この二股状アーム部によって被捕獲者を捕獲することができる。また、アーム部に磁石部が設けられているので、被捕獲者が所持する金属製の凶器を吸着することができ、被捕獲者から凶器を奪うことができる。
【０００８】
また、第２には、上記第１の構成において、上記一対のアーム部が上記柄部に対して着脱自在に設けられていることを特徴とする。よって、刺股型捕獲装置の組立てに当たって、アーム部を柄部に取り付けるのみでよく、また、分解に際しても、アーム部を柄部から外すのみでよいので、容易に組立て、分解が可能となる。
【０００９】
また、第３には、上記第２の構成において、上記一対のアーム部の間に、磁力を発生する棒状の部材を有する中央アーム部が設けられていることを特徴とする。この中央アーム部は磁力を発生する棒状の部材を有するので、この中央アーム部によっても被捕獲者の凶器を奪うことができ、また、中央アーム部は磁力を発生する棒状の部材を有するので、この中央アーム部によっても被捕獲者を捕獲することが可能となる。なお、上記の構成において、中央アーム部の先端に、弾性部材（例えば、ゴム）により構成された防護部を設けるものとするのが好ましい。
【００１０】
また、第４には、上記第３の構成において、上記一対のアーム部と上記中央アーム部が上記柄部に対して着脱自在に設けられていることを特徴とする。よって、刺股型捕獲装置の組立てに当たって、アーム部と中央アーム部を柄部に取り付けるのみでよく、また、分解に際しても、アーム部と中央アーム部を柄部から外すのみでよいので、容易に組立て、分解が可能となる。
【００１１】
また、第５には、刺股型捕獲装置であって、筒状を呈する柄部と、一対のアーム部を有する二股状アーム部で、各アーム部が、断面コ字状のフレーム部本体とフレーム部本体の下端に設けられ柄部の先端に挿脱可能な取付部とを有するフレーム部と、該フレーム部本体の内部に設けられた磁石部とを有する二股状アーム部と、一対のアーム部の間に設けられた中央アーム部で、磁力を発生する棒状の部材を有し、下端に柄部の先端に挿脱可能な取付部を有する中央アーム部と、一対のアーム部と中央アーム部とを柄部に固定するための固定具と、を有することを特徴とする。
【００１２】
この第５の構成の刺股型捕獲装置においては、刺股型捕獲装置に二股状アーム部が設けられているので、この二股状アーム部によって被捕獲者を捕獲することができる。また、アーム部に磁石部が設けられているので、被捕獲者が所持する金属製の凶器を吸着することができ、被捕獲者から凶器を奪うことができる。また、刺股型捕獲装置の組立てに当たっては、アーム部と中央アーム部の取付部を柄部に挿入した後に固定具で固定することにより、アーム部と中央アーム部を柄部に取り付けるのみでよく、また、刺股型捕獲装置の分解に際しても、固定具を外して、アーム部と中央アーム部を柄部から外すのみでよいので、容易に組立て、分解が可能となる。また、柄部が筒状を呈し、アーム部のフレーム部本体が断面コ字状を呈するので、刺股型捕獲装置を全体に軽量とすることができ、刺股型捕獲装置の操作を容易とすることができる。なお、上記の構成において、中央アーム部の先端に、弾性部材（例えば、ゴム）により構成された防護部を設けるものとするのが好ましい。
【００１３】
また、第６には、上記第１から第５までのいずれかの構成において、上記磁石部が、永久磁石であることを特徴とする。
【００１４】
また、第７には、上記第１から第５までのいずれかの構成において、上記磁石部が電磁石であり、柄部に該電磁石の駆動のオンオフを操作するためのスイッチが設けられていることを特徴とする。よって、スイッチを押して電磁石部を駆動させることにより、被捕獲者にとっては予期しない状態で磁力が発生するので、凶器を奪いやすくなる。
【００１５】
また、第８には、上記第１から第５までのいずれかの構成において、上記磁石部が、永久磁石と、電磁石とを有し、柄部に該電磁石の駆動のオンオフを操作するためのスイッチが設けられていることを特徴とする。よって、永久磁石により被捕獲者の凶器を奪うことができるのみならず、スイッチを押して電磁石部を駆動させることにより、被捕獲者にとっては予期しない状態で磁力が発生するので、凶器を奪いやすくなる。
【００１６】
なお、上記各構成において、上記二股状アーム部におけるアーム部や、該アーム部のフレーム部が、柄部に対して斜めに設けられた棒状の部材であり、これにより、二股状アーム部が一対のアーム部によってＶ字状に形成されているものとするのが好ましい。
【発明の効果】
【００１７】
本発明に基づく刺股型捕獲装置によれば、刺股型捕獲装置に二股状アーム部が設けられているので、この二股状アーム部によって被捕獲者を捕獲することができる。また、アーム部に磁石部が設けられているので、被捕獲者が所持する金属製の凶器を吸着することができ、被捕獲者から凶器を奪うことができる。また、磁石部が電磁石を有する場合には、被捕獲者にとっては予期しない状態で磁力が発生するので、凶器を奪いやすくなる。
【発明を実施するための最良の形態】
【００１８】
本発明においては、被捕獲者が所持している刃物等の凶器を奪うことができる刺股型捕獲具を提供するという目的を以下のようにして実現した。
【実施例１】
【００１９】
本発明に基づく刺股型捕獲装置Ａは、図１〜図５に示されるように構成され、柄部１０と、二股状アーム部２０と、中央アーム部６０とを有している。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２０】
ここで、柄部１０は、筒状の棒状を呈し、具体的には、四角筒状の棒状を呈している。つまり、柄部１０は、板状部１０ａと板状部１０ｂと板状部１０ｃと板状部１０ｄとにより筒状に形成されていて、板状部１０ａと板状部１０ｃとは互いに平行に設けられ、板状部１０ｂと板状部１０ｄとは互いに平行に設けられている。よって、この柄部１０の内部には中空部が形成されている。また、この柄部１０の上部には、ネジ（固定具）１４を挿通するためのネジ穴部１２が形成されている。このネジ穴部１２は、板状部１０ａのみならず、板状部１０ｃにも形成されていて、板状部１０ａ、板状部１０ｃともに、ネジ穴部１２が、筒状を呈する柄部１０の軸線方向に２つ並べて形成されている。ネジ穴部１２の数は、これには限られず、１つでもよいし、３つ以上でもよい。
【００２１】
また、二股状アーム部２０は、２つのアーム部３０により構成されている。このアーム部３０は、フレーム部３２と、磁石部４０とを有している。
【００２２】
このフレーム部３２は、フレーム部本体３４と、取付部３６とから構成されていて、断面コ字状の略棒状を呈している。すなわち、フレーム部本体３４は、板状を呈し水平方向に設けられた底面部３４ａと、略帯状の板状を呈しその端部が斜めに屈曲した形状の正面部３４ｂと、該正面部３４ｂと同一形状・大きさの背面部３４ｃと、正面部３４ｂと背面部３４ｃ間に設けられ、帯状を呈する側面部３４ｄと、該側面部３４ｄの端部から連設され水平方向に設けられた板状の上面部３４ｅと、正面部３４ｂの端部と背面部３４ｃの端部間に設けられ上面部３４ｅから連設された板状の側端部３４ｆとから構成され、基本的に断面コ字状を呈し、全体に略棒状を呈するとともに、端部が斜めに屈曲した形状を呈している。なお、正面部３４ｂと背面部３４ｃの形状は、その下端においては、水平方向の辺部Ｈ２と鉛直方向の辺部Ｈ４とを有し、各辺部Ｈ２、Ｈ４の端部から斜めに互いに平行に辺部Ｈ６、Ｈ８が伸び、その後、水平方向に互いに平行に辺部Ｈ１０、Ｈ１２が伸び、その端部においては、辺部Ｈ１４が鉛直方向に設けられた形状を呈している。また、側面部３４ｄは底面部３４ａに対して鈍角をなし斜めに形成されている。すなわち、側面部３４ｄの水平方向に対する角度は、５０度〜６０度となっている。
【００２３】
また、取付部３６は、底面部３４ａの底面の端部（すなわち、中央アーム６０側の端部）から下方（すなわち、鉛直方向）に向けて形成され、方形状の板状を呈している。具体的には、取付部３６は、長方形状の板状を呈し、柄部１０内に挿入可能な大きさに形成されている。つまり、取付部３６の横幅（Ｙ１−Ｙ２方向の幅）は、柄部１０の内径のＹ１−Ｙ２方向の幅又は該幅よりも若干小さく形成されていて、取付部３６が柄部１０内に嵌合して納まるようになっている。また、この取付部３６には、取付部３６を柄部１０内に挿通した際に、ネジ穴部１２と対応した位置に穴部が形成されている。つまり、取付部３６の２カ所に穴部が形成されている。
【００２４】
なお、このフレーム部３２は、金属製で全体に一体に形成されていて、例えば、フレーム部本体３４は、亜鉛板を加工することにより形成されている。
【００２５】
また、磁石部４０は、永久磁石であり、フレーム部本体３４内に設けられている。つまり、断面略コ字状（断面コ字状としてもよい。他においても同じ）に形成されたフレーム部本体３４の空間内に磁石部４０が設けられている。これにより、磁石部４０は、図４に示すように、底面部３４ａに合わせて底面部４０ａを有するとともに、正面部３４ｂと背面部３４ｃの辺部Ｈ４に合わせて鉛直方向に向いた側面部４０ｂを有し、該底面部４０ａの辺部と該側面部４０ｂの辺部とを端部として斜めに帯状に伸びるとともに端部で屈曲した正面部４０ｃと背面部４０ｄを有し（正面部４０ｃと背面部４０ｄとは互いに平行になっている）、底面部４０ａの端部から斜めに伸びた側面部４０ｅと、側面部４０ｂの上端から斜めに伸びた側面部４０ｆとを有し（側面部４０ｅと側面部４０ｆとは互いに平行になっている）、該側面部４０ｆの上端から水平方向に伸びた上面部４０ｇと、該側面部４０ｅの上端から水平方向に伸びた下面部４０ｈとを有し、該上面部４０ｇと下面部４０ｈの端部間に設けられた鉛直方向を向いた側面部４０ｉを有した形状を有しているといえる。つまり、磁石部４０は、フレーム部本体３４内に埋め込まれた状態に形成されている。これにより、磁石部４０の露出面は、フレーム部本体３４の端部と面一に形成されている。
【００２６】
二股状アーム部２０は、上記のように２つのアーム部３０により構成されているので、この２つのアーム部３０により二股状アーム部２０は、全体にＶ字状を呈している。また、柄部１０と二股状アーム部２０とより全体にＹ字状を呈している。
【００２７】
次に、中央アーム部６０は、棒状部６２と、防護部７０とを有している。この棒状部６２は、帯板状（細長長方形状の板状としてもよい）を呈する棒状部本体６４と、該棒状部本体６４の下端から連設された取付部６６とを有し、この棒状部６２は、磁力を発生する素材（磁性体としてもよい）により形成されている。なお、この棒状部６２全体を永久磁石により形成してもよい。この棒状部本体６４の幅（Ｙ１−Ｙ２方向の幅）は、アーム部３０のＹ１−Ｙ２方向の幅と同一に形成され、また、取付け部６６のＹ１−Ｙ２方向の幅は、柄部１０の内径のＹ１−Ｙ２方向の幅又は該幅よりも若干小さく形成されていて、取付部６６が柄部１０内に嵌合して納まるようになっている。つまり、取付部６６のＹ１−Ｙ２方向の幅は、取付部３６のＹ１−Ｙ２方向の幅と同じになっている。また、取付部６６のＸ１−Ｘ２方向の幅は、棒状部本体６４と同一となっている。また、この取付部６６には、取付部６６を柄部１０内に挿通した際に、ネジ穴部１２と対応した位置に穴部が形成されている。つまり、取付部６６の２カ所に穴部が形成されている。
【００２８】
また、防護部７０は、棒状部６２の先端に固定され、ゴム等の弾性体により形成されている。この防護部７０は、略直方体形状に形成されていて、その下面には、棒状部本体６４の先端を挿入するための凹部が形成されている。
【００２９】
なお、取付部６６の厚み（つまり、Ｘ１−Ｘ２方向の厚み）と、２つの取付部３６の厚み（つまり、Ｘ１−Ｘ２方向の厚み）の合計は、柄部１０の内径のＸ１−Ｘ２方向の幅と同一又は若干小さくなっていて、取付部３６と取付部６６と取付部３６とを重ねた状態で柄部１０内に嵌合するようになっている。
【００３０】
上記構成の刺股型捕獲装置Ａの組立て状態について説明すると、２つのアーム部３０の間に中央アーム部６０を配した状態として、一方のアーム部３０の取付部３６と取付部６６と他方のアーム部３０の取付部３６とを重ねた状態として、柄部１０の端部に差し込む。この場合、２つのアーム部３０は、互いにＶ字状を呈するようにする。そして、ネジ１４をネジ穴部１２に差し込んで螺着して、２つのアーム部３０と中央アーム部６０とを柄部１０に固定する。以上のようにして、刺股型捕獲装置Ａが組み立てられる。
【００３１】
上記構成の刺股型捕獲装置Ａの使用状態としては、通常の刺股と同様に、刺股型捕獲装置Ａの先端側（つまり、二股状アーム部２０が設けられている側）を被捕獲者に向けて被捕獲者を捕獲する。具体的には、一対のアーム部３０の間に被捕獲者が位置するようにして、二股状アーム部２０と中央アーム部６０によって被捕獲者を押さえて捕獲する。なお、中央アーム部６０の先端には、防護部７０が設けられているので、棒状部６２が直接被捕獲者に触れず過剰防衛を防止することができる。
【００３２】
アーム部３０には磁石部４０が設けられ、また、中央アーム部６０には、磁力を発生する素材により形成されているので、被捕獲者を捕獲する際に、被捕獲者が持っていた金属製の凶器（例えば、刃物）を吸着することができ、被捕獲者から凶器を奪うことが可能となる。よって、被捕獲者が抵抗した場合でも危険が生じることがなく、また、刺股型捕獲装置Ａによって捕獲した被捕獲者を拘束する場合に安全に拘束することができる。
【００３３】
また、上記刺股型捕獲装置Ａにおいては、柄部１０が筒状を呈し、また、アーム部３０が断面略コ字状の部材を主としているので、全体に軽量であり、刺股型捕獲装置Ａの操作がしやすい。また、刺股型捕獲装置Ａは全体に構造が簡単であるので、製造コストを低くすることができる。
【００３４】
なお、刺股型捕獲装置Ａを使用しない場合や保管しておく場合には、ネジ１４を緩めて、柄部１０と、一対のアーム部３０と、中央アーム部６０に分解すればよい。
【実施例２】
【００３５】
次に実施例２の刺股型捕獲装置について説明する。実施例２の刺股型捕獲装置Ｂは、実施例１の刺股型捕獲装置Ａと同様の構成であるが、磁石部の構成が異なる。
【００３６】
すなわち、磁石部４０は、永久磁石のみならず電磁石も設けられていて、柄部１０に設けられているスイッチ１８を押すことにより、電磁石が働くようになっている。
【００３７】
すなわち、磁石部４０は、永久磁石により構成される永久磁石部４１と、電磁石により構成される電磁石部５０とを有し、電磁石部５０は、磁力を発生するように、鉄心５２と、コイル５４とから構成され、コイル５４に電流を供給するための電源部は柄部１０内に収納されている。図６に示す例では、アーム部３０には、電磁石部５０は３つ設けられている。そして、スイッチ１８を押すことにより電源部から電流がコイル５４に供給されて、電磁石部５０から磁力が発生するようになっている。なお、スイッチ１８を押さない場合には、電磁石部５０から磁力は発生しない。つまり、スイッチ１８は、電磁石部５０の駆動のオンオフを操作するためのスイッチといえる。
【００３８】
なお、アーム部３０におけるフレーム部本体３４においては、側面部３４ｄに沿ってコイル５４を配線するための空間部を形成するために、側面部３４ｄに平行に板状部３５が形成されている。つまり、この板状部３５における長手方向の辺部は、正面部３４ｂと背面部３４ｃとに固定されており、短手方向の辺部は、底面部３４ａと側端部３４ｆに固定されている。また、取付部３６もコイル５４を配線可能なように、配線用の溝部を設けるようにする。また、柄部１０と二股状アーム部２０と中央アーム部６０とを組み立てる際にコイル５４が邪魔になるので、コイルは、柄部１０の上端位置で着脱可能に分離するようにするのが好ましい。つまり、アーム部３０側のコイルにコネクタを設けるとともに、柄部１０側のコイルにコネクタを設け、両コネクタが接続可能とする。
【００３９】
なお、上記以外の構成は、実施例１の刺股型捕獲装置Ａと同様の構成であるので、詳しい説明を省略する。
【００４０】
実施例２の構成の刺股型捕獲装置Ｂの使用状態は上記実施例１の刺股型捕獲装置Ａと同様であるが、スイッチ１８をオンオフすることにより、電磁石部５０からの磁力の発生をオンオフできるので、被捕獲者に不意を付いた状態で磁力を発生させることができ、凶器を奪いやすくすることができる。つまり、刺股型捕獲装置Ｂで被捕獲者を捕獲した際には、永久磁石部４１で凶器を奪うことができなかった場合でも、スイッチ１８を押して電磁石部５０を駆動させることにより、被捕獲者にとっては予期しない状態で磁力が発生するので、凶器を奪いやすくなる。
【００４１】
なお、上記実施例１、実施例２ともに、被捕獲者にアーム部３０に磁石が備えられていることが分からないように、磁石部４０の露出面を板状部材でカバーするようにしてもよい。
【００４２】
また、上記実施例２の説明では、磁石部は、永久磁石と電磁石とから構成されるものとして説明したが、電磁石のみから構成してもよい。
【００４３】
また、上記の各実施例において、中央アーム部６０の構成を省略してもよい。すなわち、柄部１０には、一対のアーム部３０が挿脱されるようにする。
【図面の簡単な説明】
【００４４】
【図１】実施例１の刺股型捕獲装置の構成を示す斜視図である。
【図２】実施例１の刺股型捕獲装置の構成を示す分解斜視図である。
【図３】実施例１の刺股型捕獲装置の構成を示す正面図である。
【図４】アーム部の分解斜視図である。
【図５】図１のＸ−Ｘ端面図である。
【図６】実施例２の刺股型捕獲装置の構成を示す斜視図である。
【図７】実施例２の刺股型捕獲装置におけるアーム部の要部断面図である。
【符号の説明】
【００４５】
Ａ、Ｂ  刺股型捕獲装置
１０  柄部
１２  ネジ穴部
１４  ネジ
２０  二股状アーム部
３０  アーム部
３２  フレーム部
３４  フレーム部本体
３６、６６  取付部
４０  磁石部
４１  永久磁石部
５０  電磁石部
６０  中央アーム部
６２  棒状部
７０  防護部
【図１】
2007071446.tif 000003
【図２】
2007071446.tif 000004
【図３】
2007071446.tif 000005
【図４】
2007071446.tif 000006
【図５】
2007071446.tif 000007
【図６】
2007071446.tif 000008
【図７】
2007071446.tif 000009